(57)【要約】【課題】屋根瓦で葺かれた二つの勾配屋根が交差してできる谷部に葺かれる新規な谷瓦を提供するとともに、その谷瓦が支持される谷部の新規な屋根構造を提供し、さらに前記谷瓦が谷部に葺かれたとき、二つの勾配屋根において同一段に葺かれた屋根瓦が横に連続して視認される構造の屋根を提供する。【解決手段】屋根瓦１で葺かれた二つの勾配屋根２、３が交差してできる谷部４に軒先部から棟部に向かって樋状部材２４を葺く。そして前記屋根瓦のうち前記谷部に臨む斜断瓦６の斜断端面部６１を前記樋状部材の上にもたらし、前記屋根瓦に降下した雨水を前記樋状部材により流下させる。さらに前記谷部において樋状部材の上方に、支持手段２６を介して、先端１３が略逆Ｖ字形をして外方に突出し、後端１４が略逆Ｖ字形をして内方に窪んだ矢羽根状の平面を有する陶器製谷瓦１０を葺いて、その谷瓦により前記斜断瓦の斜断端面部を隠蔽する。【選択図】図２
2005325511.tif 000002
【特許請求の範囲】
【請求項１】
屋根瓦（１）で葺かれた二つの勾配屋根（２、３）が交差してできる谷部（４）に葺かれる陶器製瓦であって、その先端（１３）が略逆Ｖ字形をして外方に突出し、後端（１４）が略逆Ｖ字形をして内方に窪んだ矢羽根状の平面を有する谷瓦（１０）。
【請求項２】
働き長さ（Ｌ）が、前記谷部（４）に臨む傾斜瓦（6）の斜切断相当長さと実質上同一である請求項１記載の谷瓦（１０）。
【請求項３】
屋根瓦（１）で葺かれた二つの勾配屋根（２、３）が交差してできる谷部（４）を、その軒先部から棟部に向かって樋状部材（２４）で葺いて、前記谷部（４）に降った雨水及び谷部（４）に流入した雨水を流下させる屋根構造において、前記樋状部材（２４）を前記屋根瓦（１）と同質材料で形成した谷瓦（１０）で被覆するとともに、前記屋根瓦（１）のうち前記谷部（４）に臨む斜切断瓦（６）の斜切断端面部（６１）を前記谷瓦（１０）で被覆したことを特徴とする屋根構造。
【請求項４】
前記谷瓦（１０）は、その先端（１３）が略逆Ｖ字形をして外方に突出し、後端（１４）が略逆Ｖ字形をして内方に窪んだ矢羽根状の平面を有する請求項３記載の屋根構造。
【請求項５】
前記谷瓦（１０）は、前記樋状部材（２４）に設けられた支持手段（２５）に支持されている請求項３記載の屋根構造。
【請求項６】
前記支持手段（２５）は、前記勾配屋根（２、３）の野地板（７、８）に固定されている請求項５記載の屋根構造。
【請求項７】
前記支持手段（２５）は、前記樋状部材（２４）とともに前記勾配屋根（２、３）の野地板（７、８）に固定されている請求項５記載の屋根構造。
【請求項８】
前記支持手段（２５）は、支持部材（２５１）と支持部材の固定手段（２５２）からなっている請求項６記載の屋根構造。
【請求項９】
前記支持部材（２５１）は木材から形成されている請求項８記載の屋根構造。
【請求項１０】
二つの勾配屋根（２、３）を形成する野地板（７、８）の上に屋根瓦（１）を面状に葺くとともに、前記勾配屋根（２、３）が交差してできる谷部（４）に陶器製谷瓦（１０）を軒先部から棟部にかけて上下１列に葺いてなる屋根であって、前記谷瓦（１０）の働き長さ（Ｌ）を前記谷部（４）に臨む斜切断瓦（６）の斜切断相当長さと実質上等しくして、前記屋根瓦（１）の横並び位置が連続して視認できるようにしたことを特徴とする屋根。
【請求項１１】
前記谷瓦（１０）の少なくとも両側縁部（１８、１９）が、前記谷部（４）に臨む斜切断瓦（６）の斜切断端面部（６１）を被覆している請求項１０記載の屋根。
【請求項１２】
前記谷瓦（１０）は、前記谷部（４）においてその軒先部から棟部に向かって葺かれる樋状部材（２４）の上方に重ねて葺かれている請求項１０記載の屋根。
【発明の詳細な説明】
【技術分野】
【０００１】
本発明は、屋根瓦で葺かれた二つの勾配屋根が交差してできる屋根の谷部の谷瓦及びその谷瓦を使用する屋根構造、特に前記谷部の屋根構造並びに前記谷瓦が葺かれた屋根の外観構造に関するものである。
【背景技術】
【０００２】
図１０に示すように、従来から屋根瓦１で葺かれた二つの勾配屋根２、３が交差してできる屋根の谷部４には、１本の樋状の金属板若しくは押出成形板又は特殊成形瓦を複数枚、葺き上げて１本の樋状に構成した屋根材５が慣用的に使用されているが、それら屋根材５の両側部５１、５２が、屋根瓦１のうち前記谷部４に臨む斜切断瓦６の斜切断端面部６１の下に潜るように、前記屋根材５が谷部４に葺かれている。
【０００３】
従って、前記屋根材５は二つの勾配屋根２、３間において前記斜切断瓦６上を流下する雨水を集水・流下させる防水機能を果たしていると言える。なお、ここで「屋根瓦」とは、勾配屋根２、３に葺かれる、いわゆるＳ型瓦や平板瓦等、従来から前記谷部４の屋根材５と異なる材料で作られた瓦を意味し、また、「斜切断瓦」とは、二つの勾配屋根２、３が競り合う領域において前記谷部４を形成するために、前記領域に葺かれる屋根瓦１の一部を施工現場で切断工具又は破断工具により斜切断して、前記谷部４にその斜切断端面が略一列になるように並べられる不定形瓦を意味する(以下においても同じ)。
【０００４】
しかしながら、前記慣用技術においては次のような問題がある。第一に、前記斜切断瓦６の斜切断端面が露出するという問題がある。前記斜切断端面がそのまま露出すると、それは屋根瓦１の表面と異なる色になるだけでなく、斜切断瓦６には、施工現場で複数枚の屋根瓦１を切削工具又は破断工具により斜切断して斜切断端面が形成されるので、施工現場での斜切断作業のばらつきによって、複数枚の斜切断瓦６の斜切断端面が軒先側から棟部側まで一直線状に完全には揃わないことになり、屋根の外観・見栄えを悪くする（第一の問題）。第二に、前記屋根材５が屋根瓦１とは異なる材質でできていることが多く、その場合、屋根材５の耐久性が屋根瓦１より劣るという問題がある（第二の問題）。特に一般的に使用されている金属板製屋根材は外部に直接露出するため、公害や塩害の影響を受け易い。第三に、前述した斜切断瓦６は本来その屋根瓦を屋根面に留め付けるために設けられている釘穴などの留付構造部分が斜切断により喪失していることが多く、留付力が低下した結果、風圧によるズレや飛散が起こり易い（第三の問題）。また屋根瓦１と同じ材質からできている屋根材のみが使用されている場合、前記斜切断瓦６に対する谷瓦の納め構造を特殊なものにする必要がある。例えば、谷瓦の両側下方にその谷瓦と同様の瓦を反転させた瓦を２列設けた構造にする必要があり（特開平１０−１６９１０２号公報の図６）、それだけ屋根構造が複雑になるだけでなく、屋根の外観・見栄えが悪くなる。
【０００５】
そこで、前記斜切断瓦６の斜切断端面が露出しないように特殊な構造の屋根材を使用する技術が提案されている（特開２００２−２７６０９３号公報）。この公知技術によると、前記屋根材により斜切断瓦６の斜切断端面部６１を確実に隠蔽できるという所期の目的は達成され、前記第一の問題を解消することができる。
【特許文献１】特開平１０−１６９１０２号公報
【特許文献２】特開２００２−２７６０９３号公報
【発明の開示】
【発明が解決しようとする課題】
【０００６】
しかしながら、前記公知技術において前記屋根材は、屋根瓦と同質の材料ではない金属板からできているので、依然として前記第二の問題を解消することができない。また、前述の第三の問題について、前記公知技術において前記屋根材は、棟部を除いて上下段の屋根材同士がかみ合うことによって固定される構造であり、屋根の軒先から棟部の間において釘などの留付具を使用して屋根面上に固定されていないため、前記斜切断瓦より上方に位置しているものの斜切断瓦を押さえる力は働かない。その結果、前記屋根材を設置することによって前記斜切断瓦の固定が強化されることはなく、斜切断によって留付構造部分を喪失し、留付力の低下した斜切断瓦の風圧によるズレや飛散を防ぐ効果は得られない。そこで本発明者は、この第二、第三の問題を解消するには、屋根瓦と実質上同一材質からなる特定の形状・大きさの谷瓦を使用して、前記斜切断瓦の遮断端面を被覆すればよいという事実を見出し、本発明を完成した。従って、本発明の課題は、屋根瓦で葺かれた二つの勾配屋根が交差してできる谷部に葺かれる新規な谷瓦を提供するとともに、その谷瓦が支持される谷部の新規な屋根構造を提供し、さらに加えて、前記谷瓦が谷部に葺かれたとき、前記二つの勾配屋根において同一段に葺かれた屋根瓦が横に連続して視認できるようにして屋根の美観・見栄えを向上させ、谷部に臨む斜切断瓦の固定を強化し、風圧などの外力による斜切断瓦のズレ、飛散を防ぐことにある。
【課題を解決するための手段】
【０００７】
本発明は前記課題を解決するために、屋根瓦で葺かれた二つの勾配屋根が交差してできる谷部に葺かれる谷瓦であって、その先端が略逆Ｖ字形をして外方に突出し、後端が略逆Ｖ字形をして内方に窪んだ矢羽根状の平面を有する陶器製樋状谷瓦を使用するという手段を採用する。なお、先端とは前記谷瓦が勾配屋根に葺かれたときその屋根の棟部側の端部を意味し、後端とは軒先側の端部を意味する。
【０００８】
本発明はさらに前記課題を解決するために、前記谷瓦の働き長さを、前記谷部に臨む斜切断瓦の斜切断相当長さと実質上同一にするという手段を採用する。このような形状・大きさの谷瓦を前記谷部で複数段１列に軒先側から棟部側に葺き上げることにより、前記谷瓦は、同一段横方向において、二つの勾配屋根に葺かれる屋根瓦が横一列に連続して配列しているように看者をして視認させることが可能になる（作用）。その結果、屋根の外観・見栄えが従来の屋根に比較して格段に向上する。なお、本発明において斜切断瓦の「斜切断相当長さ」とは、前記屋根瓦の働き長さを前記谷の延びる方向を向く長さ成分に置き換えたとき、谷方向成分に相当する長さを意味し、勾配屋根の軒先から棟部までの長さをＡ、谷部の長さをＢ、そして前記勾配屋根に葺かれる屋根瓦の働き長さをＣとした場合、（Ｂ×Ｃ）／Ａなる式で算出することもできる。
【０００９】
前記谷部において前記形状・大きさの谷瓦に対して、前記作用を発揮させるとともに、その防水機能の一部を分担させるために、本発明は、屋根瓦で葺かれた二つの勾配屋根が交差してできる谷部を、その軒先部から棟部に向かって樋状部材で葺いて、前記谷部に降った雨水及び谷部に流入した雨水を流下させる屋根構造において、前記樋状部材を前記屋根瓦と同質材料で形成した谷瓦で被覆するとともに、前記屋根瓦のうち前記谷部に臨む斜切断瓦の斜切断端面部を前記谷瓦で被覆するという手段を採用する。
【００１０】
この手段を採用することにより、前記樋状部材の殆どは前記谷瓦により隠蔽されるが、谷瓦は二つの勾配屋根に葺かれた屋根瓦のうち前記谷部に臨んでいる斜切断瓦の斜切断端面部より上方に存在し、前記樋状部材は前記斜切断瓦から直接谷部に注ぎ込まれる雨水を流下させる。他方、前記谷瓦の露出面は、谷部に直接降下した雨水を流下させるとともに、勾配屋根に葺かれている屋根瓦と実質上同質の材料からできているので、屋根全体を同色にする。
【００１１】
さらに前記構造の屋根において谷瓦は、前記樋状部材の上方において屋根面に支持手段を介して支持されるので、前記谷部に安定して設置される。また、谷部に臨む前記斜切断瓦は、斜切断端面部を前記谷瓦によって上方より押さえられて被覆されることにより、谷瓦とともに谷部に固定される。この態様において前記支持手段は木材等からなる支持部材と、支持部材を谷部に固定する固定手段とで構成される。
【発明の効果】
【００１２】
前述の手段を採用することにより、本発明に係る谷瓦が、従来技術と同様に構成された樋状部材を完全に被覆するとともに、樋状部材の上に配された支持手段により確実に支持される屋根構造を提供することができるので、前記樋状部材が金属板からできていても、その腐食寿命又は塩害寿命を延長することができるとともに、屋根瓦で葺かれた二つの勾配屋根が交差してできる谷部において、二つの勾配屋根に葺かれる屋根瓦のうち、前記谷部に臨む斜切断瓦の斜切断端面部を完全被覆して、屋根の外観・見栄えを良くする。さらに加えて、前記谷瓦は、前記二つの勾配屋根のそれぞれにおいて同一段に葺かれた屋根瓦の頭部端を横一列に連続して配列させる効果を発揮し、屋根の外観・見栄えを一層良くする。また、前記谷瓦は前記谷部に臨む斜切断瓦の斜切断端面部を上方より押さえるように被覆するため、谷瓦が前記支持手段を介して屋根面に固定されるとともに、斜切断瓦も同時に固定され、斜切断によって留付構造部分が喪失し、留付力が低下した斜切断瓦の固定力を高める。その結果、風圧による斜切断瓦のズレや飛散を防止することができる。
【発明を実施するための最良の形態】
【００１３】
次に、図面を参照しながら、本発明を実施するに際しての最良の実施形態を詳述する。図１〜３に示すように、本発明に係る谷瓦１０は、後述する勾配屋根２、３に葺かれる屋根瓦１と同様に陶器から成形された、矢羽根状の表裏面を有する三次元成形体であり、その周端面は、平行な両側端１１、１２と、略逆Ｖ字形に外方に突出している先端１３と、略逆Ｖ字形に内方に窪んだ後端１４とからなる。
【００１４】
さらに前記谷瓦１０において前記両側端１１、１２に挟まれて形成される中央部には、所定幅の平坦部１５が形成されており、図１、図２及び図３に示すように、その平坦部１５から前記両側端１１、１２側が上位に向かって折れ曲がる板状の傾斜部１６、１７が外方に延びている。従って、本発明に係る谷瓦１０は、前記平坦部１５と二つの傾斜部１６、１７によって、開度の広い樋状に形成され、後述するように谷部４に葺かれたとき、降雨を受けて下方にそれを流下させる。
【００１５】
また、前記谷瓦１０において前記傾斜部１６、１７の外方寄りには、図１〜５に示すように、前記両側端１１、１２が下位に向かって折れ曲がる板状かつ幅狭の側縁部１８、１９が形成されており、後述するように二つの勾配屋根２、３に葺かれた屋根瓦１のうち、前記谷部４に臨む斜切断瓦６の斜切断縁部と谷瓦１０との隙間が小さくなるように設計されている。
【００１６】
同じく前記谷瓦１０の表面において前記後端１４に沿う表縁部には、図１、図２及び図５に示すように、所定幅を以って緩やかに面取りされた傾斜面２０が形成されており、その傾斜面２０において谷瓦１０の表面を流下した雨水の流速を急上昇させるようになっている。逆に前記谷瓦１０の裏面において前記後端１４に沿う側縁には、図３、図５及び図7に示すように、所定幅を以って僅かに下方に突出する水切り部２１が設けられている。なお、前記平坦部１５には谷瓦１０を後述する支持手段２５に釘留めする釘穴２２が複数個透設されている。
【００１７】
次に前記谷瓦１０を平面上において、その表面に谷瓦１０が上方から平行光線が投影されたと想定して、その投影形状の大きさについて詳述すると、図２に示すように、平坦部１５の横幅と２枚の傾斜部１６、１７の横幅とを合計した横幅Ｗは、前記谷部４及び斜切断瓦６の斜切断端面部６１を隠蔽するのに十分な大きさになっている。
【００１８】
本発明に係る谷瓦１０は、通常の屋根瓦１と同様に屋根の谷部４において軒先側から棟部側に順次葺き上げられるので、任意の谷瓦においてその先端１３側の一部分（図２において陰影で示す部分）が、上段において葺かれる上段谷瓦４の後端１４側の一部によって被覆される。従って、前記任意の谷瓦１０が前記上段谷瓦１０により被覆されないで外方に露出する部分の長手方向の相対的長さ、すなわち働き長さＬは、谷瓦１０に対して二つの勾配屋根２、３において同一段に葺かれた屋根瓦１が横に連続して見える機能を発揮させるために、前記斜切断相当長さと実質上等しくなっている。
【００１９】
さらに逆Ｖ字状に内方に窪んでいる後端１４の開き角αは、実質上二つの勾配屋根２、３の棟が交差する角度と等しくなっている。そのため、前記後端１４が前記働き長さＬと同調して、二つの勾配屋根２、３のそれぞれにおいて同一段に葺かれた屋根瓦１の頭部端を横一列に連続しているように看視をして視認させる機能を発揮する。
【００２０】
次に二つの勾配屋根２、３が交差する谷部４にどのように本発明に係る谷瓦１０を施工するかについて説明する。図８及び図９に示すように、まず、二つの勾配屋根２、３間の谷部４において下地材としての野地板７、８に対して、所定間隔をおいて２本の縦桟木２３を軒先側から棟部側に延ばして平行に仮配置する。次いで、従来技術に使用されている金属板製の屋根材のような形状の樋状部材２４を谷部４に配置するが、本発明に係る樋状部材２４の長手方向の両側縁部には、上方に向かって鈎状に曲げ加工された屈曲端２４１、２４２が形成されており、水返しとして機能するとともに、２本の前記縦桟木２３間に樋状部材２４を落とし込んで係止できるようになっている。
【００２１】
続いて前記樋状部材２４の中央部(谷部)に支持手段２５を設置する。該支持手段２５は垂木に代表される木製の支持部材２５１と、その上に設置される金属、樹脂又はその他の材質、好ましくは金属片を波板状に曲げ加工した支持部材の固定手段２５２からなる。そして、前記野地板７、８の上に前記縦桟木２３、樋状部材２４及び支持手段２５を釘２７により順次固定する。なお、樋状部材２４及び支持手段２５において前記釘２７を挿通する部位には、予め釘２７の挿通孔が透設されている。
【００２２】
次いで二つの勾配屋根２、３において、谷部４を残して葺かれてきた屋根瓦１(図９においては勾配屋根２の屋根瓦の記載が省略されている)に続いて、その場で屋根瓦１をベースにして斜切断瓦６を作製して、それらを野地板７、８上に葺くとき、その斜切断端面部６１が前記樋状部材２４の上になるように配置する。そして前記支持手段２５の上にさらに本発明に係る谷瓦１０を載せて、その釘穴２２に止水パッキング２８を備えたビスねじ等の止着部材２９を打ち込んで前記支持部材２５１に前記谷瓦１０を止着するとともに、その谷瓦１０の少なくとも側縁部１８、１９で前記斜切断瓦６の斜切断端面部６１を被覆する。
【００２３】
すると、前記勾配屋根２、３が交差してできる谷部４において、先に固定された樋状部材２４の上に、前記支持手段２５を介して、谷瓦１０が確実に固定されるとともに、前記谷部４に臨む斜切断瓦６の斜切断端面部６１が前記樋状部材２４と谷瓦１０との間に存在することになる。その結果、屋根瓦１及び斜切断瓦６に降雨して流下する雨水は前記樋状部材２４に流れ込んで流下するが、前記谷瓦１０に降雨した雨水のほとんどは谷瓦１０の傾斜部１６、１７に集水されて流下する。また、斜切断瓦６の斜切断端面部６１は、前記谷瓦１０の側縁部１８、１９によって押さえられることで、風圧によるズレや飛散が抑制される。
【００２４】
また、前記樋状部材２４のうち従来技術において外に露出していた部分は完全に陶器製の谷瓦１０により隠蔽されるので、太陽光に直接照射されないし、外気流との接触頻度が少なくなるので、前記樋状部材２４が腐食されやすい金属板から形成されている場合であっても、金属腐食の進行は著しく抑制される。
【００２５】
本発明に係る谷瓦１０の働き長さＬを勾配屋根２、３の軒先から棟部に向かう長さ成分に換算すると、それは前記勾配屋根２、３に葺かれている屋根瓦１の働き長さと実質上等しくなっているので、谷瓦１０により葺かれた勾配屋根２、３の表面を見ると、二つの前記勾配屋根２、３に葺かれた屋根瓦１の頭部端が前記谷瓦１０の位置で屈曲はしているが一列に延びているように視認され、その結果、材料の同質性も作用して、屋根の外観・見栄えが従来技術のそれらより秀でたものとして映える。
【００２６】
本発明は、その根本的技術思想を踏襲し発明の効果を著しく損なわない限度において、前記実施態様の一部分を変更して実施することができる。例えば、前記先端１３及び後端１４の形状を略逆Ｖ字形から略逆U字形に変更することもでき、前記谷瓦１０の中央部に設けられた前記平坦部１５を省略することもできる。これらの態様も本発明の技術的範囲に包含されるものとする。また、前記支持部材２５１を最初から前記支持部材の固定手段２５２と合体させて製作することもできる。さらに前記谷瓦１０と前記支持手段２５とを合体させて野地板７、８に固定してからそれらの間に斜切断瓦６の斜切断端面部６１を挿入しながら斜切断瓦６を葺くこともできる。そのうえ、前記谷瓦１０の裏面と前記支持手段２５にそれらを係合可能な機構を設けることにより、釘を使用することなくそれらを一体化することもできる。そのほか、縦桟木２３、樋状部材２４及び支持手段２５を接着剤等により予め一体化しておいて、それらを野地板７、８に固定するようにもできる。また、前記支持手段２５を構成する一方の支持部材の固定手段２５２として接着剤を使用し、支持部材２５１を樋状部材２４に接着することもでき、支持部材の固定手段２５２として波板状に曲げ加工した金属片等と接着剤を併用することもできる。
【産業上の利用可能性】
【００２７】
本発明は、屋根瓦、特に陶器製の屋根瓦が葺かれた二つの勾配屋根が交差してできる谷部を有する建築分野に広く利用できる。
【図面の簡単な説明】
【００２８】
【図１】本発明に係る谷瓦の斜視図である。
【図２】同じく谷瓦の表面図である。
【図３】同じく裏面図である。
【図４】同じく背面図である。
【図５】同正面図である。
【図６】同左側面図である。
【図７】同右側面図である。
【図８】本発明に係る屋根構造の部分破断正面図である。
【図９】前記屋根構造の要部を示す部分斜視図である。
【図１０】従来技術に係る屋根構造の要部を示す部分斜視図である。
【符号の説明】
【００２９】
１    屋根瓦
２    勾配屋根
３    勾配屋根
４    谷部
５    屋根材
５１    両側部
５２    両側部
６    斜切断瓦
６１    斜切断端面部
７    野地板
８    野地板
１０    谷瓦
１１    側端
１２    側端
１３    先端
１４    後端
１５    平坦部
１６    傾斜部
１７    傾斜部
１８    側縁部
１９    側縁部
２０    傾斜面
２１    水切り部
２２    釘穴
２３    縦桟木
２４    樋状部材
２４１    屈曲端
２４２    屈曲端
２５    支持手段
２５１    支持部材
２５２    支持部材の固定手段
２７    釘
２８    止水パッキング
２９    止着部材
Ｌ    働き長さ
Ｗ    横幅
α    開き角
【図１】
2005325511.tif 000003
【図２】
2005325511.tif 000004
【図３】
2005325511.tif 000005
【図４】
2005325511.tif 000006
【図５】
2005325511.tif 000007
【図６】
2005325511.tif 000008
【図７】
2005325511.tif 000009
【図８】
2005325511.tif 000010
【図９】
2005325511.tif 000011
【図１０】
2005325511.tif 000012